(57)【要約】  多数のセンサを使用してプロセスチャンバ内のシャッターディスクアセンブリを検出するための方法及び装置である。シャッターディスクアセンブリ用のシャッターハウジング内の第１、第２、及び第３のセンサは、シャッターディスクアセンブリの状況の表示を提供する。表示は一部において、プロセスコントローラからのプロセス情報とともにシャッターディスクアセンブリの動作状況を決定するのに使用される。次に、動作状況を使用して、必要な際にプロセスチャンバのプロセスが変更される。【選択図】図１
2021520449.tif 000002
【特許請求の範囲】
【請求項１】
プロセスチャンバ内のシャッターディスクアセンブリを検出する方法であって、
前記プロセスチャンバのシャッターハウジング内に位置する第１のセンサから第１のセンサ検出情報を受信することであって、前記第１のセンサはシャッターアームを検出するように配置される、第１のセンサから第１のセンサ検出情報を受信することと、
前記プロセスチャンバの前記シャッターハウジング内に位置する第２のセンサから第２のセンサ検出情報を受信することであって、前記第２のセンサはシャッターディスクを検出するように配置される、第２のセンサから第２のセンサ検出情報を受信することと、
前記プロセスチャンバの前記シャッターハウジング内に位置する第３のセンサから第３のセンサ検出情報を受信することであって、前記第３のセンサは前記シャッターディスクを検出するように配置される、第３のセンサから第３のセンサ検出情報を受信することと、
プロセスコントローラからプロセス情報を受信することと、
前記第１のセンサ検出情報、前記第２のセンサ検出情報、前記第３のセンサ検出情報、及び前記プロセス情報のうちの少なくとも１つに少なくとも部分的に基づいて、前記シャッターディスクアセンブリの動作状況を決定することと、
前記シャッターディスクアセンブリの前記動作状況に基づいて、必要であれば、前記プロセスチャンバの少なくとも１つのプロセスを変更することと
を含む方法。
【請求項２】
前記シャッターディスクアセンブリの較正を実行することによって前記プロセスチャンバの少なくとも１つのプロセスを変更すること、又は前記シャッターアームを再配置することによって前記プロセスチャンバの少なくとも１つのプロセスを変更すること
を更に含む、請求項１に記載の方法。
【請求項３】
前記第１のセンサ検出情報が閉塞を示し、前記第２のセンサ検出情報が閉塞がないことを示し、前記第３のセンサ検出情報が閉塞を示し、前記プロセス情報がシャッターディスクアセンブリが格納されていることを示す場合、前記動作状況をエラーではないと決定すること
を更に含む、請求項１に記載の方法。
【請求項４】
前記第１のセンサ検出情報が閉塞を示し、前記第２のセンサ検出情報が閉塞を示し、前記第３のセンサ検出情報が閉塞がないことを示し、前記プロセス情報がシャッターディスクアセンブリが格納されていることを示す場合、前記動作状況をエラーと決定すること
を更に含む、請求項１に記載の方法。
【請求項５】
前記第１のセンサ検出情報が閉塞がないことを示し、前記第２のセンサ検出情報が閉塞を示し、前記第３のセンサ検出情報が閉塞がないことを示し、前記プロセス情報がシャッターディスクアセンブリが格納されていることを示す場合、前記動作状況をエラーと決定すること
を更に含む、請求項１に記載の方法。
【請求項６】
前記第１のセンサ検出情報が閉塞を示し、前記第２のセンサ検出情報が閉塞を示し、前記第３のセンサ検出情報が閉塞がないことを示し、前記プロセス情報がシャッターディスクアセンブリが格納されていることを示す場合、前記動作状況をエラーではないと決定すること
を更に含む、請求項１に記載の方法。
【請求項７】
前記第１のセンサ検出情報が閉塞を示し、前記第２のセンサ検出情報が閉塞を示し、前記第３のセンサ検出情報が閉塞がないこと又は閉塞を示し、前記プロセス情報がシャッターアームが格納されていることを示す場合、前記動作状況をエラーと決定すること
を更に含む、請求項１に記載の方法。
【請求項８】
前記第１のセンサ検出情報が閉塞を示し、前記第２のセンサ検出情報が閉塞がないことを示し、前記第３のセンサ検出情報が閉塞がないことを示し、前記プロセス情報がシャッターアームが格納されていることを示す場合、前記動作状況をエラーではないと決定すること
を更に含む、請求項１に記載の方法。
【請求項９】
前記第１のセンサ検出情報が閉塞がないことを示し、前記第２のセンサ検出情報が閉塞がないことを示し、前記第３のセンサ検出情報が閉塞を示し、前記プロセス情報がシャッターディスクアセンブリのアイドリングがタイムアウトしたことを示す場合に、前記動作状況をエラーと決定すること
を更に含む、請求項１に記載の方法。
【請求項１０】
プロセスチャンバ内のシャッターディスクアセンブリを検出する方法であって、
前記プロセスチャンバに取り付けられたシャッターハウジング内に前記シャッターディスクアセンブリを格納することと、
前記プロセスチャンバのシャッターハウジング内に位置する第１のセンサから第１のセンサ検出情報を受信することであって、前記第１のセンサはシャッターアームを検出するように配置される、第１のセンサから第１のセンサ検出情報を受信することと、
前記第１のセンサ検出情報に基づいて第１のセンサ検出レベルを設定することであって、前記第１のセンサ検出レベルはシャッターディスクアームが正しく格納されていることを示す、前記第１のセンサ検出情報に基づいて第１のセンサ検出レベルを設定することと、
前記プロセスチャンバの前記シャッターハウジング内に位置する第２のセンサから第２のセンサ検出情報を受信することであって、前記第２のセンサはシャッターディスクを検出するように配置される、第２のセンサから第２のセンサ検出情報を受信することと、
前記第２のセンサ検出情報に基づいて第２のセンサ検出レベルを設定することであって、前記第２のセンサ検出レベルはシャッターディスクが正しく格納されていることを示す、前記第２のセンサ検出情報に基づいて第２のセンサ検出レベルを設定することと、
前記プロセスチャンバの前記シャッターハウジング内に位置する第３のセンサから第３のセンサ検出情報を受信することであって、前記第３のセンサは前記シャッターディスクを検出するように配置される、第３のセンサから第３のセンサ検出情報を受信することと、
前記第３のセンサ検出情報に基づいて第３のセンサ検出レベルを設定することであって、前記第３のセンサ検出レベルは前記シャッターディスクが正しく格納されていることを示す、前記第３のセンサ検出情報に基づいて第３のセンサ検出レベルを設定することと、
前記第１のセンサ検出レベル、前記第２のセンサ検出レベル、及び前記第３のセンサ検出レベルを記憶することと、
前記シャッターディスクアセンブリの動作状況を決定するために、プロセス中に前記第１のセンサ検出レベル、前記第２のセンサ検出レベル、又は前記第３のセンサ検出レベルを読み出すことと
を含む方法。
【請求項１１】
前記シャッターディスクアセンブリの状況を決定するために、前記第１のセンサ検出レベル、前記第２のセンサ検出レベル、又は前記第３のセンサ検出レベルを、前記第１のセンサ、前記第２のセンサ、又は前記第３のセンサの現在のセンサ検出情報と比較すること
を更に含む、請求項１０に記載の方法。
【請求項１２】
プロセスコントローラからプロセス情報を受信することと、
現在のセンサ検出情報と、少なくとも部分的に、前記第１のセンサ検出レベル、前記第２のセンサ検出レベル、前記第３のセンサ検出レベル、及び前記プロセス情報のうちの少なくとも１つとに基づいて、前記シャッターディスクアセンブリの動作状況を決定することと
を更に含む、請求項１０に記載の方法。
【請求項１３】
プロセス中の前記シャッターディスクアセンブリの熱膨張又は収縮を考慮して、前記第１のセンサ検出レベル、前記第２のセンサ検出レベル、又は前記第３のセンサ検出レベルを変更すること
を更に含む、請求項１０に記載の方法。
【請求項１４】
プロセス中の前記シャッターディスクアセンブリへの材料の堆積を考慮して、前記第１のセンサ検出レベル、前記第２のセンサ検出レベル、又は前記第３のセンサ検出レベルを変更すること
を更に含む、請求項１０に記載の方法。
【請求項１５】
プロセスチャンバにおけるシャッターディスクアセンブリを検出するための装置であって、
前記プロセスチャンバに取り付けられたシャッターハウジングと、
シャッターアームが前記シャッターハウジング内にあるときに第１のセンサが前記シャッターアームを検出することができるように、前記シャッターハウジングに備え付けられた第１のセンサと、
シャッターディスクが前記シャッターハウジング内にあるときに第２のセンサが前記シャッターディスクを検出することができるように、前記シャッターハウジングに備え付けられた第２のセンサと、
前記シャッターディスクが前記シャッターハウジング内にあるときに第３のセンサが前記シャッターディスクを検出することができるように、前記シャッターハウジングに備え付けられた第３のセンサと、
プロセスコントローラであって、
前記プロセスチャンバのシャッターハウジング内に位置する第１のセンサから第１のセンサ検出情報を受信することであって、前記第１のセンサはシャッターアームを検出するように配置される、第１のセンサから第１のセンサ検出情報を受信することと、
前記プロセスチャンバの前記シャッターハウジング内に位置する第２のセンサから第２のセンサ検出情報を受信することであって、前記第２のセンサはシャッターディスクを検出するように配置される、第２のセンサから第２のセンサ検出情報を受信することと、
前記プロセスチャンバの前記シャッターハウジング内に位置する第３のセンサから第３のセンサ検出情報を受信することであって、前記第３のセンサは前記シャッターディスクを検出するように配置される、第３のセンサから第３のセンサ検出情報を受信することと、
プロセスコントローラからプロセス情報を受信することと、
前記第１のセンサ検出情報、前記第２のセンサ検出情報、前記第３のセンサ検出情報、及び前記プロセス情報のうちの少なくとも１つに少なくとも部分的に基づいて、前記シャッターディスクアセンブリの動作状況を決定することと
を含むプロセスチャンバの前記シャッターディスクアセンブリを検出する方法を使用することによって、前記第１のセンサ、前記第２のセンサ、および前記第３のセンサと相互作用して、プロセス中の前記シャッターディスクアセンブリの障害状態を検出するプロセスコントローラと
を備える装置。
【発明の詳細な説明】
【技術分野】
【０００１】
［０００１］本原理の実施形態は、具体的には、半導体製造プロセスに関する。
【背景技術】
【０００２】
［０００２］半導体は、制御された処理環境で基板（半導体ウエハ等）を処理する機能を備えたプロセスチャンバ内で形成される。プロセスの均一性を維持し、プロセスチャンバの最適なパフォーマンスを確保するために、プロセスチャンバ内で様々な調整工程が定期的に完了される。上記工程の１つにおいて、物理的気相堆積（ＰＶＤ）プロセスチャンバは、「バーンイン」プロセスを使用して調整され、ＰＶＤプロセスチャンバに配置されたターゲットが、基板プロセスの実施前にターゲットから酸化物又は他の汚染物質を除去するためにプラズマイオンで衝撃される。ペースティングプロセスをＰＶＤプロセスチャンバで使用してプロセスチャンバ表面に材料を堆積させ、材料がプロセスチャンバ表面から剥がれ落ちて後続のプロセス中に基板を汚染するのを防ぐことによって、チャンバを調整することも可能である。通常、基板は、ＰＶＤチャンバに配置される前に洗浄プロセスに通される。洗浄プロセスは「予洗浄」と称され、予洗浄プロセスチャンバ内で実施される。予洗浄により、ウエハが大気にさらされたときに形成され得る全ての化学残留物又は酸化物が除去される。
【０００３】
［０００３］調整及び予洗浄工程では、シャッターディスクは、ブレード又はシャッターアームを介してプロセスチャンバ内に配置された基板支持体上に配置され、基板支持体へのいかなる材料の堆積をも防止し得る。シャッターディスクは、多くの場合、処理領域から離れた場所において、シャッターハウジング又はシャッターガレージに格納され、使用中にシャッターアームによって所望の位置に移動される。シャッターディスクとシャッターアームが基板支持体から離れて移動されない場合、基板支持体が処理位置に移動されるときに、プロセスチャンバの壊滅的な障害が発生する可能性がある。
【０００４】
［０００４］したがって、本発明者らは、半導体プロセスチャンバ内のシャッターディスクアセンブリを検出するための改良された方法及び装置を提供した。
【発明の概要】
【０００５】
［０００５］方法及び装置は、半導体プロセスチャンバ内のシャッターディスクアセンブリの検出を提供する。
【０００６】
［０００６］幾つかの実施形態では、プロセスチャンバ内のシャッターディスクアセンブリを検出する方法は、プロセスチャンバのシャッターハウジング内に位置する第１のセンサから第１のセンサ検出情報を受信することであって、第１のセンサはシャッターアームを検出するように配置される、第１のセンサから第１のセンサ検出情報を受信することと、プロセスチャンバのシャッターハウジング内に位置する第２のセンサから第２のセンサ検出情報を受信することであって、第２のセンサはシャッターディスクを検出するように配置される、第２のセンサから第２のセンサ検出情報を受信することと、プロセスチャンバのシャッターハウジング内に位置する第３のセンサから第３のセンサ検出情報を受信することであって、第３のセンサはシャッターディスクを検出するように配置される、第３のセンサから第３のセンサ検出情報を受信することと、プロセスコントローラからプロセス情報を受信することと、第１のセンサ検出情報、第２のセンサ検出情報、第３のセンサ検出情報、及びプロセス情報のうちの少なくとも１つに少なくとも部分的に基づいて、シャッターディスクアセンブリの動作状況を決定することと、シャッターディスクアセンブリの動作状況に基づいて、必要であれば、プロセスチャンバの少なくとも１つのプロセスを変更することとを含む。
【０００７】
［０００７］幾つかの実施形態では、本方法は、シャッターディスクアセンブリの較正を実行することによってプロセスチャンバの少なくとも１つのプロセスを変更し；シャッターアームを再配置することによってプロセスチャンバの少なくとも１つのプロセスを変更し；プロセスを停止してアラームを設定することにより、プロセスチャンバの少なくとも１つのプロセスを変更し；シャッターディスクアセンブリの動作状況は、少なくとも、シャッターアームのシャフトのシャフトセンサからの角度を含み；シャッターディスクアセンブリがアイドル期間中に一定期間を超えているかどうかを決定し、プロセスを停止してアラームを設定することにより、プロセスチャンバの少なくとも１つのプロセスを変更し；第１のセンサ検出情報が閉塞を示し、第２のセンサ検出情報が閉塞がないことを示し、第３のセンサ検出情報が閉塞を示し、プロセス情報がシャッターディスクアセンブリが格納されていることを示す場合、動作状況をエラーではないと決定し；第１のセンサ検出情報が閉塞を示し、第２のセンサ検出情報が閉塞を示し、第３のセンサ検出情報が閉塞がないことを示し、プロセス情報がシャッターディスクアセンブリが格納されていることを示す場合、動作状況をエラーと決定し；第１のセンサ検出情報が閉塞がないことを示し、第２のセンサ検出情報が閉塞を示し、第３のセンサ検出情報が閉塞がないことを示し、プロセス情報がシャッターディスクアセンブリが格納されていることを示す場合、動作状況をエラーと決定し；第１のセンサ検出情報が閉塞を示し、第２のセンサ検出情報が閉塞を示し、第３のセンサ検出情報が閉塞がないことを示し、プロセス情報がシャッターディスクアセンブリが格納されていることを示す場合、動作状況をエラーではないと決定し；第１のセンサ検出情報が閉塞を示し、第２のセンサ検出情報が閉塞を示し、第３のセンサ検出情報が閉塞がないこと又は閉塞を示し、プロセス情報がシャッターアームが格納されていることを示す場合、動作状況をエラーと決定し；第１のセンサ検出情報が閉塞を示し、第２のセンサ検出情報が閉塞がないことを示し、第３のセンサ検出情報が閉塞がないことを示し、プロセス情報がシャッターアームが格納されていることを示す場合、動作状況をエラーではないと決定し；及び／又は第１のセンサ検出情報が閉塞がないことを示し、第２のセンサ検出情報が閉塞がないことを示し、第３のセンサ検出情報が閉塞を示し、プロセス情報がシャッターディスクアセンブリのアイドリングがタイムアウトしたことを示す場合に、動作状況をエラーと決定することを更に含む。
【０００８】
［０００８］幾つかの実施形態では、プロセスチャンバ内のシャッターディスクアセンブリを検出する方法は、プロセスチャンバに取り付けられたシャッターハウジング内にシャッターディスクアセンブリを格納することと、プロセスチャンバのシャッターハウジング内に位置する第１のセンサから第１のセンサ検出情報を受信することであって、第１のセンサはシャッターアームを検出するように配置される、第１のセンサから第１のセンサ検出情報を受信することと；第１のセンサ検出情報に基づいて第１のセンサ検出レベルを設定することであって、第１のセンサ検出レベルはシャッターディスクアームが正しく格納されていることを示す、第１のセンサ検出情報に基づいて第１のセンサ検出レベルを設定することと；プロセスチャンバのシャッターハウジング内に位置する第２のセンサから第２のセンサ検出情報を受信することであって、第２のセンサはシャッターディスクを検出するように配置される、第２のセンサから第２のセンサ検出情報を受信することと；第２のセンサ検出情報に基づいて第２のセンサ検出レベルを設定することであって、第２のセンサ検出レベルはシャッターディスクが正しく格納されていることを示す、第２のセンサ検出情報に基づいて第２のセンサ検出レベルを設定することと；プロセスチャンバのシャッターハウジング内に位置する第３のセンサから第３のセンサ検出情報を受信することであって、第３のセンサはシャッターディスクを検出するように配置される、第３のセンサから第３のセンサ検出情報を受信することと；第３のセンサ検出情報に基づいて第３のセンサ検出レベルを設定することであって、第３のセンサ検出レベルはシャッターディスクが正しく格納されていることを示す、第３のセンサ検出情報に基づいて第３のセンサ検出レベルを設定することと；第１のセンサ検出レベル、第２のセンサ検出レベル、及び第３のセンサ検出レベルを記憶することと；シャッターディスクアセンブリの動作状況を決定するために、プロセス中に第１のセンサ検出レベル、第２のセンサ検出レベル、又は第３のセンサ検出レベルを読み出すこととを含む。
【０００９】
［０００９］幾つかの実施形態では、本方法は、シャッターディスクアセンブリの状況を決定するために、第１のセンサ検出レベル、第２のセンサ検出レベル、又は第３のセンサ検出レベルを、第１のセンサ、第２のセンサ、又は第３のセンサの現在のセンサ検出情報と比較すること；プロセスコントローラからプロセス情報を受信することと、現在のセンサ検出情報と、少なくとも部分的に、第１のセンサ検出レベル、第２のセンサ検出レベル、第３のセンサ検出レベル、及びプロセス情報のうちの少なくとも１つとに基づいて、シャッターディスクアセンブリの動作状況を決定すること；プロセス中のシャッターディスクアセンブリの熱膨張又は収縮を考慮して、第１のセンサ検出レベル、第２のセンサ検出レベル、又は第３のセンサ検出レベルを変更すること、及び／又はプロセス中のシャッターディスクアセンブリへの材料の堆積を考慮して、第１のセンサ検出レベル、第２のセンサ検出レベル、又は第３のセンサ検出レベルを変更することを更に含む。
【００１０】
［００１０］幾つかの実施形態では、プロセスチャンバにおけるシャッターディスクアセンブリを検出するための装置は、プロセスチャンバに取り付けられたシャッターハウジングと、シャッターアームがシャッターハウジング内にあるときに第１のセンサがシャッターアームを検出することができるように、シャッターハウジングに備え付けられた第１のセンサと、シャッターディスクがシャッターハウジング内にあるときに第２のセンサがシャッターディスクを検出することができるように、シャッターハウジングに備え付けられた第２のセンサと、シャッターディスクがシャッターハウジング内にあるときに第３のセンサがシャッターディスクを検出することができるように、シャッターハウジングに備え付けられた第３のセンサと、プロセスコントローラであって、プロセスチャンバのシャッターハウジング内に位置する第１のセンサから第１のセンサ検出情報を受信することであって、第１のセンサはシャッターアームを検出するように配置される、第１のセンサから第１のセンサ検出情報を受信することと；プロセスチャンバのシャッターハウジング内に位置する第２のセンサから第２のセンサ検出情報を受信することであって、第２のセンサはシャッターディスクを検出するように配置される、第２のセンサから第２のセンサ検出情報を受信することと；プロセスチャンバのシャッターハウジング内に位置する第３のセンサから第３のセンサ検出情報を受信することであって、第３のセンサはシャッターディスクを検出するように配置される、第３のセンサから第３のセンサ検出情報を受信することと；プロセスコントローラからプロセス情報を受信することと；第１のセンサ検出情報、第２のセンサ検出情報、第３のセンサ検出情報、及びプロセス情報のうちの少なくとも１つに少なくとも部分的に基づいて、シャッターディスクアセンブリの動作状況を決定することとを含むプロセスチャンバ内のシャッターディスクアセンブリを検出する方法を使用することによって、第１のセンサ、第２のセンサ、及び第３のセンサと相互作用してプロセス中のシャッターディスクアセンブリの障害状態を検出するプロセスコントローラとを備える。
【００１１】
［００１１］幾つかの実施形態では、装置は更に、プロセスチャンバが予洗浄チャンバ又は物理的気相堆積（ＰＶＤ）チャンバであることを含む。      
【００１２】
［００１２］他の及び更なる実施形態が以下に開示される。
【００１３】
［００１３］上記に要約し、以下により詳細に説明する本原理の実施形態は、添付の図面に示す原理の例示的な実施形態を参照することによって理解することができる。しかしながら、添付の図面は、原理の典型的な実施形態のみを示すものであり、したがって、範囲を限定するものと見なすべきではなく、原理は他の等しく有効な実施形態も許容しうる。
【図面の簡単な説明】
【００１４】
【図１】本原理の幾つかの実施形態に従って、シャッターディスクアセンブリを検出するための装置を用い得る、又はシャッターディスクアセンブリを検出する方法を実施し得るプロセスチャンバを示す図である。
【図２】本原理の幾つかの実施形態に係る、図１のプロセスチャンバを示す断面図である。
【図３】本原理の幾つかの実施形態に係る、正しく格納されたシャッターディスクアセンブリを検出するための装置を示す図である。
【図４】本原理の幾つかの実施形態に係る、不正確に格納されたシャッターディスクアセンブリを検出するための装置を示す図である。
【図５】本原理の幾つかの実施形態に係る、正しく格納されたシャッターアームを検出するための装置を示す図である。
【図６】本原理の幾つかの実施形態に係る、不正確に格納されたシャッターアームを検出するための装置を示す図である。
【図７】本原理の幾つかの実施形態に係るシャッターディスクアセンブリを検出する方法である。
【図８】本原理の幾つかの実施形態に係るシャッターディスクアセンブリの検出を較正する方法である。
【発明を実施するための形態】
【００１５】
［００２２］理解を容易にするために、可能な場合は、図面に共通する同一の要素を示すために同一の参照番号が使用されている。図面は縮尺どおりに描かれておらず、わかりやすくするために簡略化されている場合がある。一実施形態の要素及び特徴は、更に詳述することなく、他の実施形態に有益に組み込まれ得る。
【００１６】
［００２３］方法及び装置は、より広い範囲のモーションウィンドウを備えた、向上したシャッターディスクアセンブリの検出を提供する。シャッターハウジング内のセンサの配置により、機械的な配置の調整とプロセスの調整が可能になり、不要な誤警報を防ぐことができる。センサ構成により、センサの検出レベル、配置、及びメンテナンスの柔軟性も高まる。より大きな動作検出ウィンドウにより、熱膨張／収縮及び／又は堆積物の蓄積による寸法変化等のプロセス中の変化を補正することが可能になることで、誤警報が更に減る。センサはまた、掃除が簡単で、交換も簡単である。もう１つの利点は、個々のセンサを個別に作動できる柔軟性であり、トラブルシューティングと較正が容易になる。この方法及び装置はまた、検出された故障状態の重大度に応じて自動修正を可能にする能力をプロセスコントローラに有利に提供する。自動調整で障害状態を解消できれば、オペレータの注意は不要であり、さらなるダウンタイムや手動修理を必要とせずに生産を迅速に継続できるため、時間と費用を節約できる。例えば、初回の較正又は再較正は、プロセスコントローラによって自動的に実行され得る。シャッターアームの再配置も自動的に実行され、オペレータが直接操作することなく特定の障害を解消することができる。ある状態下では、方法及び装置は、損傷が発生する前にプロセスを停止し、及び／又は警報を設定することによって、良くない状態をオペレータへより迅速に通知することが可能になり得る。
【００１７】
［００２４］図１に、本原理の幾つかの実施形態に従って、シャッターディスクアセンブリを検出するための装置を用い得る、又はシャッターディスクアセンブリを検出する方法を実施し得るプロセスチャンバ１００を示す。図１では、シャッターディスクアセンブリは、シャッターディスク１１４及びシャッターアーム１２８を含み得る。幾つかの実施形態では、シャッターディスクアセンブリはまた、時計回り及び反時計回りの回転能力を有するシャフト１２０（矢印１２２）、シャッターディスクアセンブリの回転角度を検出するためのシャフトセンサ１２４、及び／又はシャフト１２０を回転させる回転力を提供して、処理手順のためにシャッターアーム１２８及び／又はシャッターディスク１１４を、シャッターハウジング１３８からチャンバハウジング１０６に移動させるためのアクチュエータ１２６を含み得る。シャッターディスク１１４は、洗浄及び／又はペースティング等の処理中に基板支持体１０４を保護するために、基板支持体１０４上に配置され得る。基板支持体１０４は、基板支持体１０４を支持し、電気接続及び／又は冷却液等も提供する支持シャフト１１８を含む。基板支持体１０４は、処理中に上下に移動し得る（矢印１１６で示す）。例えば、基板支持体１０４が上方に移動されているときにシャッターアーム１２８が基板支持体１０４の上に残されている場合、基板支持体１０４は、シャッターディスクアセンブリとともに損傷を受ける可能性がある。
【００１８】
［００２５］損傷が発生しないようにするために、センサは、シャッターディスクアセンブリの位置の検出が可能になるようにシャッターハウジング１３８上に配置される。幾つかの実施形態では、センサは、センサ受信機１１２と対になっているセンサ送信機１１０を含む光センサを含み得る。幾つかの実施形態では、センサは、送信機及び受信機がシャッターハウジング１３８の単一の表面上に物理的に位置するように、レーザ又は他の反射技術を使用し得る。センサは、検出情報をプロセスコントローラ１９０に提供する。プロセスコントローラ１９０は、メモリ１９２、中央処理装置１９４、及び／又は支援回路１９６を含み得る。プロセスコントローラ１９０は、プロセスチャンバ１００内のプロセスを監視する。
【００１９】
［００２６］プロセスチャンバ１００は、単体で、又は統合半導体基板処理システムの処理モジュールとして、又はカリフォルニア州サンタクララのアプライドマテリアルズ社から入手可能なＥＮＤＵＲＡ（登録商標）統合半導体基板処理システム等のクラスタツールとして用い得る。プロセスチャンバ１００は、予洗浄チャンバ、又はアプライドマテリアルズ社からも入手可能なＣＨＡＲＧＥＲ（商標）アンダーバンプメタライゼーション（ＵＢＭ）ＰＶＤチャンバ等のＰＶＤチャンバであり得る。他のプロセスチャンバ及び／又はクラスタツールも適切に使用され得る。
【００２０】
［００２７］図２に、幾つかの実施形態に係る、図１のプロセスチャンバ１００のＡ−Ａ線１３２に沿った断面図２００を示す。左側の向きで示されているが、シャッターハウジング２３８は、チャンバハウジング２０６の右側又は裏側に位置し得る。シャッターディスク２３２は、シャッターアーム２３０上に置かれ、シャッターハウジング２３８に格納されている。様々なプロセスにおいて、シャッターアーム２３０は、シャッターディスク２３２を基板支持体２０４上に配置し得る。シャッターアーム２３０が前後に動くため、回転運動によりシャッターアーム２３０が位置ずれする、又は較正から外れる原因となり得る。シャッターディスク２３２は、シャッターアーム２３０によって基板支持体２０４上に配置され、また基板支持体２０４から取り外され、例えば、取り外されると、シャッターアーム２３０上で位置ずれする可能性がある。
【００２１】
［００２８］幾つかの実施形態では、以下の表１−シャッターアーム及びディスク検出に示す検出スキーム等の検出スキームが使用され得る。他の検出スキームも使用可能である。表１の検出スキームは、いかなる方法においても限定することを意図したものではない。表１では、３つのセンサ（Ｓ１、Ｓ２、Ｓ３）を使用して７つの異なる状態が検出されている。幾つかの実施形態では、３つを超えるセンサが使用可能である。幾つかの実施形態では、７より多い又は少ない状態が検出され得る。状況の列では、「良／不良」という用語を使用して、「障害なし／エラーなし」（良）又は「障害有／エラー有」（不良）を表す。「Ｘ」は少なくともある程度の閉塞を示し、「Ｏ」は閉塞がないことを示す。幾つかの実施形態では、プロセスコントローラは、センサによって提供されるセンサ検出情報をプロセス情報とともに使用して、シャッターディスクアセンブリ（シャッターディスク／シャッターアーム）の状態を決定し得る。次に、プロセスコントローラは、決定に基づいて応答を決定し得る。応答には、現在のプロセスの続行（障害のない／エラーのない状態）、障害の設定、プロセスの停止、オペレータ／ユーザへの通知、シャッターディスクアセンブリの再配置の試行、及び／又は、較正ルーチンの実行等が含まれ得るがこれらに限定されない。状態によっては、オペレータに通知する前、及び／又はプロセスコントローラが自動的に障害を修正しようとしていることをオペレータに通知する前に、障害／エラーを修正する自動試行が可能になり得る。
【００２２】
［００２９］
2021520449.tif 000003
【００２３】
［００３０］上記の表を参照すると、センサの第１の状態は障害のない状況であり、プロセスが続行され得る。センサの第２の状態では、Ｓ１とＳ２が閉塞を示している。センサＳ３は、閉塞を示す場合もあれば、閉塞を示さない場合もある。第２の状態は、アームの位置ずれを示し、これはオペレータの操作なしで修正可能であり得る。プロセスコントローラによる第２の状態の決定により、コントローラが、オペレータに通知する必要があるかどうかを決定する、及び／又はシャッターアームの較正又は再配置によって障害の自動的修正を試行することが可能になる。障害が解消されない場合、プロセスコントローラは、例えばアラームを設定することにより、オペレータに通知し得る。第３の状況は障害のない状態であり、プロセスが続行され得る。状態４〜６は、自動的に修正できない可能性が最も高い、少なくともある種のディスクの位置ずれを示している。プロセスコントローラは、アラームを設定してオペレータに通知し、プロセスを停止し得る。第７の状態では、シャッターディスクアセンブリはアイドル状態にある（ディスク／アームは、例えば、基板支持体からのシャッターディスクの配置又は取り外し等の、プロセスチャンバ内の移送プロセスに従事している）。一般に、シャッターディスクアセンブリのアイドル状態には、超過したときにアラームをトリガする期間閾値もある。その後、プロセスコントローラはオペレータに通知し、損傷を防ぐためにプロセスを停止し得る。
【００２４】
［００３１］幾つかの実施形態では、プロセスコントローラは、センサ提供の検出情報、センサ検出情報から導出された検出レベル、及び／又は現在のプロセス工程の知識を使用して、障害が実際に発生しているかどうかを決定し、誤警報を更に減らすことができる。例えば、プロセスコントローラは、シャッターディスクアセンブリのシャフトセンサを使用して、シャフトが基板支持体に向かって、又は基板支持体から離れるように回転しているかを知ることができる。シャフトの回転状態は、センサからの検出情報に照らして見たときに、障害が発生したかどうかを更に決定するのに役立つ可能性がある。同様に、プロセス情報がプロセスチャンバ内で加熱又は冷却が行われていることを示す場合、シャッターディスクアセンブリの膨張及び／又は収縮を考慮することができる。
【００２５】
［００３２］以下の図３〜図６に、表１に示す状態を引き起こす可能性のあるシャッターディスクアセンブリの位置の一部を示す。この例示は限定的なものではない。
【００２６】
［００３３］図３に、幾つかの実施形態に係る、正しく格納されたシャッターディスクアセンブリを検出するための装置３００を示す。第１のセンサ３４０は、格納されたときのシャッターアーム３３０の適切な配置を検出するために、シャッターハウジング３３８上に配置される。第１のセンサ３４０は、シャッターアーム３３０によって引き起こされた閉塞の程度を示す第１のセンサ検出情報を提供する。
【００２７】
［００３４］センサは、閉塞がいつ発生したかをプロセスコントローラが決定するのに役立つセンサ検出情報として電圧又は電流信号を提供し得る。あるセンサでは、センサ検出情報は、閉塞の程度（弱い信号対強い信号）の何らかの指標を提供する信号レベル（例えば、ミリボルト又はミリアンペア等）であり得る。他のセンサ検出情報には、オン／オフ状況の提供が含まれ得る。更に他のセンサ検出情報は、デジタルデータ又はデジタルデータとアナログデータの組み合わせを含み得る。そうすることで、プロセスコントローラは、信号が「閉塞」と見なされるのに十分な強さであるかどうかを決定する柔軟性を備えることができるようになる。幾つかの実施形態では、プロセスコントローラは、後の比較のために、決定をセンサ検出レベルとしてメモリに記憶させ得る。プロセスコントローラによる解釈により、システムを調整して、個々のプロセスチャンバ及び／又は個々のプロセス又はプロセスサブルーチンの誤警報を更に排除することも可能である。
【００２８】
［００３５］第２のセンサ３４２は、シャッターディスク３３２がシャッターアーム３３０上で位置ずれしているとき、又はシャッターディスクアセンブリがオーバーラン状態にあるときを検出するために、シャッターハウジング３３８上に配置される。第２のセンサ３４２は、シャッターディスク３３２によって引き起こされた閉塞の程度を示す第２のセンサ検出情報を提供する。第３のセンサ３４４は、シャッターディスク３３２が適切に格納されたことを検出するために、シャッターハウジング３３８上に配置される。第３のセンサ３４４は、シャッターディスク３３２によって引き起こされた閉塞の程度を示す第３のセンサ検出情報を提供する。第１のセンサ検出情報、第２のセンサ検出情報、及び第３のセンサ検出情報は、シャッターディスクアセンブリの動作状況を決定するためにプロセスコントローラに送信される。プロセスコントローラは、第１のセンサ検出情報、第２のセンサ検出情報、及び第３のセンサ検出情報を解釈して、シャッターディスクアセンブリの動作状況の決定を容易にする。幾つかの実施形態では、プロセスコントローラはまた、較正中に決定されたプロセス情報及び／又はセンサ検出レベル（以下を参照）を使用して、動作状況の決定を支援する。プロセス情報は、シャッターディスクアセンブリが格納位置にあるべきか、シャッターディスクが格納位置にあるべきか、又はプロセスチャンバ内の基板支持位置上にあるべきか等に関する情報を含み得る。シャッターハウジング３３８は、チャンバハウジング３０６の側面又はチャンバハウジング３０６の裏側に取り付けられ得る。
【００２９】
［００３６］例えば、ＳＵＮＸブランドのＥＸ−１０シリーズ光電センサ等のセンサ及び同様のものを、第１、第２、及び第３のセンサとして使用することができる。センサは、送信機と受信機の対であり得る。様々な信号レベルを報告するセンサを使用して、粒度と柔軟性を高めることも可能である。信号レベルを変化させることにより、検出が示される前にセンサからの最小信号レベル又は閾値を調整することができるという点で、センサ検出をプロセスコントローラによって調整可能にすることが有利に可能になる。調整可能な閾値により、プロセスコントローラが、閉塞状況にいつ達したかを柔軟に決定することが可能になる。例えば、幾つかの実施形態では、センサの１０％以上の閉塞は、プロセスコントローラによって「閉塞」と解釈され得る。幾つかの実施形態では、センサの１５％以上の閉塞は、プロセスコントローラによって「閉塞」と解釈され得る。プロセスコントローラによるセンサ信号レベルの調整は、検出ロジックを柔軟に調整することを可能にし、シャッターディスクアセンブリの熱膨張／収縮及び／又はシャッターディスクアセンブリへの堆積等によって引き起こされる誤警報を更に排除する。誤警報を防ぐようにロジックを更に調整するために、配置の機械的調整も幾つかの実施形態で利用され得る。
【００３０】
［００３７］検出孔又は窓の配置及び／又は位置合わせはまた、シャッターアームの動き（例えば、回転角及び回転範囲）、シャッターディスクのサイズ、及び／又は加熱による膨張及び／又はシャッターディスクアセンブリへの材料の堆積等の処理の影響による誤警報の排除に基づいて有利に変更され得る。幾つかの実施形態では、検出孔内のセンサの位置を使用して、シャッターディスクアセンブリを調整及び／又は較正することもできる。センサは、検出孔内のセンサの調整を可能にするために装着され得る。調整は、検出孔内でのセンサの移動を可能にするために、センサの装着タブ内のスロット等によって達成され得る。調整は、例えば、センサを検出孔の中心から検出孔の周辺に向かって直接移動させること等を含み得る。
【００３１】
［００３８］図４に、幾つかの実施形態に係る、不正確に格納されたシャッターディスクアセンブリを検出するための装置４００を示す。シャッターディスクアセンブリは、オーバーラン状態にある。シャッターアーム３３０及びシャッターディスク３３２が、シャッターハウジング３３８内の奥すぎるところに配置されている。第１のセンサ３４０は、シャッターアーム３３０からの高度の閉塞を示す第１のセンサ検出情報を提供する。第２のセンサ３４２は、シャッターディスク３３２によるある程度の閉塞を示す第２のセンサ検出情報を提供する。第３のセンサ３４４は、シャッターディスク３３２による高度の閉塞を示す第３のセンサ検出情報を提供する。第１のセンサ検出情報、第２のセンサ検出情報、及び第３のセンサ検出情報は、シャッターディスクアセンブリの動作状況を決定するためにプロセスコントローラに送信される。プロセスコントローラは、第１のセンサ検出情報、第２のセンサ検出情報、及び第３のセンサ検出情報を使用して、少なくとも部分的に、シャッターディスクアセンブリの動作状況を決定することを容易にする。幾つかの実施形態では、プロセスコントローラはまた、較正中に決定されたプロセス情報及び／又はセンサ検出レベル（以下の図８を参照）を使用して決定を行うこともできる。
【００３２】
［００３９］図５に、幾つかの実施形態に係る、正しく格納されたシャッターアーム３３０を検出するための装置５００を示す。幾つかのプロセスの間、シャッターアーム３３０がシャッターハウジング３３８に格納されている間、シャッターディスク（図５には示さず）が基板支持体上に残される場合がある。第１のセンサ３４０は、高度の閉塞を示す第１のセンサ検出情報を提供する。第２のセンサ３４２は、閉塞の程度が低い又はゼロであることを示す第２のセンサ検出情報を提供する。第３のセンサ３４４は、ゼロ度の閉塞を示す第３のセンサ検出情報を提供する。第１のセンサ検出情報、第２のセンサ検出情報、及び第３のセンサ検出情報は、シャッターディスクアセンブリの動作状況を決定するためにプロセスコントローラに送信される。プロセスコントローラは、第１のセンサ検出情報、第２のセンサ検出情報、及び第３のセンサ検出情報を使用して、少なくとも部分的に、シャッターディスクアセンブリの動作状況を決定することを容易にする。幾つかの実施形態では、プロセスコントローラはまた、較正中に決定されたプロセス情報及び／又はセンサ検出レベル（以下の図８を参照）を使用して決定を行うこともできる。
【００３３】
［００４０］図６に、幾つかの実施形態に係る、不正確に格納されたシャッターアーム３３０を検出するための装置６００を示す。この例では、シャッターアーム３３０はオーバーラン状態にある。第１のセンサ３４０は、高度の閉塞を示す第１のセンサ検出情報を提供する。第２のセンサ３４２は、高度の閉塞を示す第２のセンサ検出情報を提供する。第３のセンサ３４４は、ゼロ（図６には示さず）又は低度の閉塞を示す第３のセンサ検出情報を提供する。第１のセンサ検出情報、第２のセンサ検出情報、及び第３のセンサ検出情報は、シャッターディスクアセンブリの動作状況を決定するためにプロセスコントローラに送信される。プロセスコントローラは、第１のセンサ検出情報、第２のセンサ検出情報、及び第３のセンサ検出情報を使用して、少なくとも部分的に、シャッターディスクアセンブリの動作状況を決定することを容易にする。幾つかの実施形態では、プロセスコントローラはまた、較正中に決定されたプロセス情報及び／又はセンサ検出レベル（以下の図８を参照）を使用して決定を行うこともできる。
【００３４】
［００４１］シャッターディスクアセンブリは、プロセス中にアイドル状態にもなり得る（図示せず、上記の表１を参照）。アイドル状態が発生したときは、シャッターディスクアセンブリをチャンバの中へ回転させてシャッターディスクを持ち上げる、又はシャッターディスクを基板支持体上に配置することができる。アイドル状態の間、第１のセンサ３４０は、ゼロ度の閉塞の第１のセンサ検出情報を提供し、第２のセンサ３４２は、ゼロ度の閉塞の第２のセンサ検出情報を提供し、第３のセンサ３４４は、ゼロ度の閉塞の第３のセンサ検出情報を提供する（シャッターアーム３３０及びシャッターディスク３３２は、シャッターハウジング３３８内にない）。アイドル状態がプロセス工程の期間を超える場合、プロセスコントローラは、タイムアウト情報を、第１のセンサ検出情報、第２のセンサ検出情報、及び第３のセンサ検出情報とともに使用して、シャッターディスクアセンブリの動作状態を決定し得る。
【００３５】
［００４２］図７は、幾つかの実施形態に係る、プロセスチャンバ内のシャッターディスクアセンブリを検出する方法７００である。ブロック７０２において、本方法は、プロセスチャンバのシャッターハウジング内に位置する第１のセンサから第１のセンサ検出情報を受信することから開始され、第１のセンサは、シャッターアームを検出するように配置される。第１のセンサは、シャッターアームによって引き起こされる部分的又は完全な閉塞が検出され得るように配置され得る。ブロック７０４において、プロセスチャンバのシャッターハウジング内に位置する第２のセンサから第２のセンサ検出情報が受信され、第２のセンサは、シャッターディスクを検出するように配置される。第２のセンサは、シャッターディスクによって引き起こされる部分的又は完全な閉塞が検出され得るように配置され得る。ブロック７０６において、プロセスチャンバのシャッターハウジング内に位置する第３のセンサから第３のセンサ検出情報が受信され、第３のセンサは、シャッターディスクを検出するように配置される。第３のセンサは、シャッターディスクによって引き起こされる部分的又は完全な閉塞が検出され得るように配置され得る。ブロック７０８において、プロセス情報は、プロセスコントローラから受信される。プロセス情報は、シャッターディスクアセンブリが格納位置にあるべきか否か、シャッターディスクが格納位置にあるべきか、又はプロセスチャンバ内の基板支持位置上にあるべきか否か、シャッターディスクアセンブリは移動中又はアイドル状態か、例えばシャッターディスクアセンブリシャフトの回転角等の構成要素の状況等に関する情報を含み得る。
【００３６】
［００４３］ブロック７１０において、シャッターディスクアセンブリの動作状況は、第１のセンサ検出情報、第２のセンサ検出情報、第３のセンサ検出情報、プロセス情報、及び／又は、較正中に決定されたセンサ検出レベルのうちの少なくとも１つに少なくとも部分的に基づいて決定される（以下を参照）。上記の表１に示し、図３〜図６に示すように、幾つかの実施形態では、情報の組み合わせを使用して、誤警報を有利に低減することができる。シャッターディスクアセンブリの動作状況の決定に追加情報を使用することができることにより、決定に使用される基準の定義におけるより高い柔軟性が有利に可能になる。ブロック７１２において、プロセスチャンバの少なくとも１つのプロセスは、必要であれば、シャッターディスクアセンブリの動作状況に基づいて変更される。プロセスは、例えば、プロセスの停止、プロセスの停止及びアラームの設定、プロセスの停止及びサブプロセスを実行して障害の自動的修正を試行する、及び／又はプロセスを一時的に停止して較正又は再較正すること等によって変更され得る。幾つかの実施形態では、オペレータは、聴覚的及び／又は視覚的に通知され得る。
【００３７】
［００４４］図８は、幾つかの実施形態に係る、プロセスチャンバ内のシャッターディスクアセンブリの検出を較正する方法８００である。ブロック８０２において、この方法は、シャッターディスクアセンブリを、プロセスチャンバに取り付けられたシャッターハウジングに格納することから開始される。シャッターディスクアセンブリは正しい位置にある必要がある。ブロック８０４において、プロセスチャンバのシャッターハウジング内に位置する第１のセンサから第１のセンサ検出情報が受信され、第１のセンサは、シャッターアームを検出するように配置される。幾つかの実施形態では、センサは個別に較正され得る。個別の較正により、他の変数を排除することでトラブルシューティングが有利に容易になる。ブロック８０６において、第１のセンサ検出情報に基づいて第１のセンサ検出レベルが設定され、第１のセンサ検出レベルは、シャッターディスクアームが正しく格納されていることを示す。第１のセンサ検出情報は、信号レベルであり得る、又は信号状態（例えば、高又は低）であり得る。あるセンサは２つの状態のみを提供し得るが、他のセンサは電圧又は電流レベルを提供し得る。第１のセンサ検出情報の値又はレベルは、シャッターアームが正しい位置にあるときのことを知るためにプロセスコントローラによって使用され得る。プロセスコントローラは、正しい較正位置を示す参考として、第１のセンサ検出情報から第１のセンサ検出レベルを生成する。幾つかの実施形態では、第１のセンサ検出情報は、シャッターアームが正しい位置にあるときに閉塞を示し得る。
【００３８】
［００４５］ブロック８０８において、プロセスチャンバのシャッターハウジング内に位置する第２のセンサから第２のセンサ検出情報が受信され、第２のセンサは、シャッターディスクを検出するように配置される。ブロック８１０において、第２のセンサ検出情報に基づいて第２のセンサ検出レベルが設定され、第２のセンサ検出レベルは、シャッターディスクが正しく格納されていることを示す。第２のセンサ検出情報は、信号レベルであり得る、又は信号状態（例えば、高又は低）であり得る。あるセンサは２つの状態又はデジタルデータのみを提供し得るが、他のセンサは電圧や電流レベル等のアナログデータを提供し得る。第２のセンサ検出情報の値又はレベルは、シャッターディスクが正しい位置にあるときのことを知るためにプロセスコントローラによって使用され得る。プロセスコントローラは、正しい較正位置を示す参考として、第２のセンサ検出情報から第２のセンサ検出レベルを生成する。幾つかの実施形態では、第２のセンサ検出情報は、シャッターディスクが正しい位置にあるときに閉塞がないことを示し得る。
【００３９】
［００４６］ブロック８１２において、プロセスチャンバのシャッターハウジング内に位置する第３のセンサから第３のセンサ検出情報が受信され、第３のセンサは、シャッターディスクを検出するように配置される。ブロック８１４において、第３のセンサ検出情報に基づいて第３のセンサ検出レベルが設定され、第３のセンサ検出レベルは、シャッターディスクが正しく格納されていることを示す。第３のセンサ検出情報は、信号レベルであり得る、又は信号状態（例えば、高又は低）であり得る。あるセンサは２つの状態のみを提供し得るが、他のセンサは電圧又は電流レベルを提供し得る。第３のセンサ検出情報の値又はレベルは、シャッターディスクが正しい位置にあるときのことを知るためにプロセスコントローラによって使用され得る。プロセスコントローラは、正しい較正位置を示す参考として、第３のセンサ検出情報から第３のセンサ検出レベルを生成する。幾つかの実施形態では、第３のセンサ検出レベルは、シャッターディスクが正しい位置にあるときに閉塞を示し得る。
【００４０】
［００４７］ブロック８１６において、第１のセンサ検出レベル、第２のセンサ検出レベル、及び第３のセンサ検出レベルが記憶される。プロセスコントローラは、第１のセンサ検出レベル、第２のセンサ検出レベル、及び第３のセンサ検出レベルを、図１のメモリ１９２等のメモリに記憶し得る。幾つかの実施形態では、プロセスコントローラは、プロセスごとに、第１のセンサ検出レベル、第２のセンサ検出レベル、及び／又は第３のセンサ検出レベルを変更し得る。メモリに記憶する前にセンサ検出レベルを変更することにより、プロセスコントローラが、例えば、特定のプロセス中のシャッターディスクアセンブリの熱膨張／収縮等を考慮することが可能になり得る。そうすることで、プロセスコントローラが、特定のプロセスのためにメモリに記憶されたセンサ検出レベルを読み出すことができる。幾つかの実施形態では、プロセスコントローラは、レベルをメモリに記憶する前に、プロセス中のシャッターディスクアセンブリへの材料の堆積を考慮して、第１のセンサ検出レベル、第２のセンサ検出レベル、及び／又は第３のセンサ検出レベルを変更し得る。幾つかの実施形態では、プロセスコントローラは、単一のプロセスが実施されるとき、及び／又は同じプロセスの複数の実施にわたって、センサ検出レベルの変更を決定するためのアルゴリズムを利用し得る。そうすることで、プロセスコントローラは、経時的な及び／又は多数のプロセス実施にわたるシャッターディスクアセンブリ上の堆積物の成長等の、シャッターディスクアセンブリに対するプロセス関連の変更について、リアルタイム又はほぼリアルタイムでセンサ検出レベルを調整することができる。プロセスコントローラはまた、熱がいつ適用及び／又は除去されるかに基づいて、熱膨張／収縮等のシャッターディスクアセンブリに対するプロセス関連の変更について、リアルタイム又はほぼリアルタイムでセンサ検出レベルを調整することができる。
【００４１】
［００４８］ブロック８１８において、シャッターディスクアセンブリの動作状況を決定するために、プロセス中に第１のセンサ検出レベル、第２のセンサ検出レベル、及び／又は第３のセンサ検出レベルが読み出される。上記のように、プロセスコントローラはまた、シャッターディスクアセンブリの動作状況を決定する際にプロセス情報も使用し得る。
【００４２】
［００４９］上記は本原理の実施形態を対象としているが、原理の他の及びさらなる実施形態は、その基本的な範囲から逸脱することなく考案することができる。
【図１】
2021520449.tif 000004
【図２】
2021520449.tif 000005
【図３】
2021520449.tif 000006
【図４】
2021520449.tif 000007
【図５】
2021520449.tif 000008
【図６】
2021520449.tif 000009
【図７】
2021520449.tif 000010
【図８】
2021520449.tif 000011
【国際調査報告】
2021520449.tif 000012
2021520449.tif 000013